(57)【要約】【課題】  内視鏡用処置具において、先端部分が柔軟な挿入部を安価で、かつ簡単に製造する。【解決手段】  内視鏡用処置具である内視鏡用生検鉗子は、長尺で密巻きコイル１０を有する挿入部２を有し、挿入部２の先端に生体に対して処置を行う処置部４が設けられている。挿入部２のコイル１０は、処置部４に連なる先端部分が挿入部２の他の部分よりも硬度が小さい柔軟部３１になっている。このような柔軟部３１は、コイル１０の先端部分を焼鈍することで形成される。【選択図】    図２
2006296781.tif 000002
【特許請求の範囲】
【請求項１】
内視鏡のチャンネルに挿通可能で可撓性を有する挿入部と、前記挿入部の先端側に設けられ、生体に対して処置を行う処置部と、前記挿入部の基端部に設けられ、前記処置部の操作を行う操作部とを有し、前記挿入部に操作ワイヤが進退自在に挿通され、前記操作ワイヤによって前記操作部と前記処置部の駆動部分とを連結させた内視鏡用処置具において、
前記コイルは、熱処理によって硬度を異ならせた柔軟部と硬質部とを有し、硬度が相対的に低い前記柔軟部が、前記硬質部よりも先端側に設けられていることを特徴とする内視鏡用処置具。
【請求項２】
内視鏡のチャンネルに挿通可能で可撓性を有する挿入部と、前記挿入部の先端側に設けられ、生体に対して処置を行う処置部と、前記挿入部の基端部に設けられ、前記処置部の操作を行う操作部とを有し、前記挿入部に操作ワイヤが進退自在に挿通され、前記操作ワイヤによって前記操作部と前記処置部の駆動部分とを連結させた内視鏡用処置具において、
前記コイルに熱処理を行うことで、前記コイルの先端部の硬度を前記コイルの他の部分よりも相対的に低下させて、柔軟部を形成したことを特徴とする内視鏡用処置具。
【請求項３】
前記柔軟部は、焼鈍処理によって形成したことを特徴とする請求項１又は請求項２に記載の内視鏡用処置具。
【発明の詳細な説明】
【技術分野】
【０００１】
本発明は、内視鏡のチャンネルに挿通させて使用し、生体に対して処置を行う内視鏡用処置具に関する。
【背景技術】
【０００２】
内視鏡用処置具は、内視鏡のチャンネルに挿通可能な可撓性の挿入部を有している。挿入部は、例えば、密巻きコイルからなり、このコイル内に操作ワイヤを進退自在に挿通させている。操作ワイヤは、挿入部の近位端（手元側の基端）に設けられた操作部に固定されると共に、挿入部の遠位端（先端）に設けられた処置部の生検カップなどの駆動部分に連結されている。このため、操作部の操作によって操作ワイヤを進退させると、処置部の駆動部分を駆動させることができる。
【０００３】
ここで、挿入部の柔軟性が高い方が、内視鏡の内視鏡挿入部が湾曲している際にはチャンネルに挿通し易くなる。その一方で、挿入部全体が柔らかすぎると挿入部に腰がないため、内視鏡のチャンネルに挿入し難くなり、さらには座屈し易くなる。このため、挿入部の一部、特に先端側の硬度を、他の部分の硬度よりも低くした内視鏡用処置具が開発されている。このような内視鏡用処置具の挿入部を製造する方法としては、硬度の異なるコイルを溶着したり、先端部の外径を切削加工によって減少させたりすることが知られている。また、挿入部のコイルを巻く際に、コイルの先端部分を比較的に小さい予負荷張力で巻いて剛性を低くしたり（例えば、特許文献１参照）、コイルの素線を巻く際の巻き取り角度や、張力を選択して素線の密着力を小さくすることで剛性を低くしたりすることが知られている（例えば、特許文献２参照）。
【特許文献１】特表平１０−５０６０３２号公報
【特許文献２】特開昭６２−１４４６４３号公報
【発明の開示】
【発明が解決しようとする課題】
【０００４】
しかしながら、硬度の異なるコイルを溶着したり、切削加工をしたりすると、手間がかかるので、製造コストが高くなるという問題があった。また、切削加工を行うと切り屑が発生するので、コイルを洗浄して切り屑を取り除く工程が必要になり、生産効率を向上させることができなかった。
さらに、線材を巻く際に張力を変化させるためには、コイルの巻き取り装置に複雑な機構が必要になるという問題があった。さらに、コイルを巻き取る過程で張力を変化させるために、高速度でコイルを製造することができなかった。
この発明は、このような事情に鑑みてなされたものであり、その主な目的は、先端部分が柔軟な挿入部を安価で、かつ簡単に製造することである。
【課題を解決するための手段】
【０００５】
上記の課題を解決する本発明の請求項１に係る発明は、内視鏡のチャンネルに挿通可能で可撓性を有する挿入部と、前記挿入部の先端側に設けられ、生体に対して処置を行う処置部と、前記挿入部の基端部に設けられ、前記処置部の操作を行う操作部とを有し、前記挿入部に操作ワイヤが進退自在に挿通され、前記操作ワイヤによって前記操作部と前記処置部の駆動部分とを連結させた内視鏡用処置具において、前記コイルは、熱処理によって硬度を異ならせた柔軟部と硬質部とを有し、硬度が相対的に低い前記柔軟部が、前記硬質部よりも先端側に設けられていることを特徴とする内視鏡用処置具とした。
この内視鏡用処置具では、柔軟部の硬度が熱処理によって相対的に低下しているので、この部分は硬質部に比べて容易に湾曲させることができる。このため、例えば、挿入部を内視鏡の先端部でチャンネルが特に湾曲し易い部分に挿入などしたときでも、その形状に倣うように挿入部を変形させることができる。
【０００６】
請求項２に係る発明は、内視鏡のチャンネルに挿通可能で可撓性を有する挿入部と、前記挿入部の先端側に設けられ、生体に対して処置を行う処置部と、前記挿入部の基端部に設けられ、前記処置部の操作を行う操作部とを有し、前記挿入部に操作ワイヤが進退自在に挿通され、前記操作ワイヤによって前記操作部と前記処置部の駆動部分とを連結させた内視鏡用処置具において、前記コイルに熱処理を行うことで、前記コイルの先端部の硬度を前記コイルの他の部分よりも相対的に低下させて、柔軟部を形成したことを特徴とする内視鏡用処置具とした。
この内視鏡用処置具では、熱処理の結果として、コイルの先端部に湾曲し易い柔軟部が形成されている。柔軟部は、コイルの先端側に設けられているので、内視鏡の先端部のように、チャンネルが特に湾曲し易い部分に倣って挿入部を湾曲させたり、挿入部の先端部を生体組織に押し当てたりし易い。
【０００７】
請求項３にかかる発明は、請求項１又は請求項２に記載の内視鏡用処置具において、前記柔軟部は、焼鈍処理によって形成したことを特徴とする。
この内視鏡用処置具では、コイルの先端部側に焼鈍処理を行うことで、相対的に硬度を低下させ、柔軟部を形成する。コイルの他の部分は、焼鈍処理を行わずに、相対的に硬度が高い硬質部になる。
【発明の効果】
【０００８】
本発明によれば、熱処理によって相対的に硬度が低くなるような柔軟部を、コイルの先端側に設けたので、内視鏡のチャンネルへの挿入や、処置が容易になる。このため処置具が内視鏡のチャンネルに与えるダメージ、例えばチャンネルの削れや、孔空き等を軽減できる。熱処理によって柔軟部を形成することで、コイルの製造装置に複雑な機構を設ける必要がなくなる。さらに、熱処理によって柔軟部を形成することで、コイルの巻き取り時間を短縮し、切削加工が不要になるので、生産効率を向上させることができる。
【発明を実施するための最良の形態】
【０００９】
以下、この発明の実施の形態を図面に基づいて説明する。なお、この実施の形態に係る内視鏡用処置具は、内視鏡用生検鉗子として説明する。
図１に示すように、内視鏡用生検鉗子１は、長尺の挿入部２を有し、挿入部２の近位端（基端）には体外で使用される操作部３が設けられており、挿入部２の遠位端（先端）には体内で処置を行う処置部４が設けられている。
【００１０】
図２に示すように、挿入部２は、密巻きのコイル１０の外表面にチュービング成形や熱収縮チューブなどにより外チューブ１１を被覆させたシースを有し、コイル１０内には内チューブ１２が進退自在に挿入されている。さらに、内チューブ１２内には、２本の操作ワイヤ１３，１４が進退自在に挿通されている。
【００１１】
なお、図３に示すように、内チューブ１２の代わりに、各操作ワイヤ１３，１４をそれぞれ被覆材１３Ａ，１４Ａで被覆しても良い。被覆材１３Ａ，１４Ａは、高密度ポリエチレンや、低密度ポリエチレンなどの樹脂や、それらを混合した材料などから製造されている。また、図４に示すように、外チューブ１１を設けずに、コイル１０を露出させても良い。
【００１２】
外チューブ１１の材料は、例えば、高密度ポリエチレン或いは高密度ポリエチレンと低密度ポリエチレンの混合材料、低密度ポリエチレンとポリプロピレンの混合材料など、低コストで内視鏡のチャンネルに対する挿通性が優れているものを使用しても良い。また、外チューブ１１は、外チューブ１１の外表面がコイル１０表面の凹凸を転写したような形状や、外チューブ１１の外表面が軸方向に凹凸形状を有していても良い。
【００１３】
さらに、コイル１０の基端部には、カップ保持部材１５がコイル１０に嵌合され、レーザ溶接やロー付、半田付、カシメなどで固定されている。カップ保持部材１５の先端部付近には、ピン１６が挿入されており、このピン１６によって一対の生検カップ１７，１８（駆動部分）が回動自在に支持されている。生検カップ１７，１８のそれぞれの基端部には、操作ワイヤ１３，１４が一本ずつそれぞれ連結されており、操作ワイヤ１３，１４の進退によって一対の生検カップ１７，１８を開閉できるようになっている。さらに、一対の生検カップ１７，１８の間には、針１９が配設されている。針１９は、カップ保持部材１５に固定されており、鋭利な先端部がカップ保持部材１５から突出している。
【００１４】
一方、操作部３は、操作部本体２１にスライダ２２が進退自在に装着されている。操作部本体２１は、先端から挿入部２が挿入されており、基端には指掛け用のリング２３が設けられている。さらに、操作部本体２１には、リング２３の近傍から先端部に向かって溝２４が形成されており、この溝２４にスライダ２２が装着されている。このスライダ２２には、操作ワイヤ１３，１４の基端部が固定されており、スライダ２２を溝２４に沿って移動させると操作ワイヤ１３，１４が進退させられるようになっている。なお、溝２４の先端部とスライダ２２との間には、硬質の操作パイプ２５が挿入されており、この操作パイプ２５内に操作ワイヤ１３，１４を挿通させることで、スライダ２２を移動させた際の操作ワイヤ１３，１４の座屈等が防止されている。
【００１５】
ここで、図５に示すように、コイル１０の先端側には、低硬度部である柔軟部３１が形成されている。柔軟部３１は、残りの部分に比べて硬度が低く、コイル１０の外径を変化させずに熱処理によって硬度を低下させている。柔軟部３１は、カップ保持部材１５から露出する部分を起点として、ここから例えば、２ｍｍ〜３０ｍｍの長さを有している。柔軟部３１よりも先端側には、硬質部３２Ａを有するが、この硬質部３２Ａにはカップ保持部材１５が取り付けられる。また、柔軟部３１よりも基端側の硬質部３２Ｂは、図１に示す操作部３に至るまで続いており、この部分が高硬度部になっている。なお、先端側の硬質部３２Ａを設けずに、柔軟部３１と基端側の硬質部３２Ｂとからコイル１０を形成しても良い。
【００１６】
なお、外チューブ１１、内チューブ１２は、樹脂材料で構成されており、例えば、ポリ四フッ化エチレン（ＰＴＦＥ）、四フッ化エチレン・パーフルオロ・アルコキシ・エチレン樹脂（ＰＦＡ）、四フッ化エチレン六フッ化プロピレン樹脂（ＦＥＰ）、ポリエチレン、ポリプロピレン、ポリエチレンテレフタレート、エチレン酢酸ビニル共重合体、ポリオレフィン、ポリアミド、塩化ビニール、ラテックス、天然ゴム等の樹脂材料またはこれらの混合材料で構成されている。
【００１７】
また、コイル１０、操作ワイヤ１３，１４及び針１９は金属材料で構成されており、例えば、ステンレス、アルミニウム、ニッケル、黄銅、チタニウム、鉄、リン青銅、タングステン、金、銀、銅等の金属またはこれらの合金で作られている。
【００１８】
また、操作部本体２１、スライダ２２は、使い捨てにすることも可能であるので、コストの安い樹脂材料でも製作できる。例えば、ポリオレフィン、ポリカーボネイト、アクリロニトリル・ブタジエン・スチレン樹脂、ポリアミド、塩化ビニール、ラテックス、ポリプロピレン、ポリエチレンテレフタレート、エチレン酢酸ビニル共重合体、天然ゴム等の樹脂材料または、これらの混合材料、あるいはこれらの樹脂に電子線を照射して作った架橋樹脂で構成されている。
【００１９】
なお、このような内視鏡用生検鉗子１と共に用いられる内視鏡について図６を参照して説明する。内視鏡４０は、体外で術者が操作をする内視鏡操作部４１を有し、内視鏡操作部４１からは体内に挿入される可撓性で長尺の内視鏡挿入部４２が延びている。内視鏡挿入部４２の先端には、体内を観察する撮像手段が設けられると共に、チャンネル４３の先端開口が形成されている。チャンネル４３は、内視鏡挿入部４２内を通って内視鏡操作部４１に至り、内視鏡操作部４１の側部に挿入口を形成している。なお、内視鏡挿入部４２内には、不図示のアングルワイヤが挿通されており、内視鏡操作部４１のアングルノブ４４を回転させると、先端部４２Ａを湾曲させることができる。
【００２０】
次に、内視鏡用生検鉗子１の製造方法について、コイル１０の先端部の加工を中心に説明する。
まず、不図示の巻き取り装置で線材を所定径に巻き上げてコイル１０を製造する。そして、図７及び図８に示すような焼鈍装置５１にコイル１０の先端部を挿入して柔軟部３１を形成する。焼鈍装置５１は、コイル１０を挟み込むような凹形状を有する高周波ヒータ５２が一対の支持部５３のそれぞれに固定されている。コイル１０の軸線方向に平行な方向における高周波ヒータ５２の長さは、前記した柔軟部３１の長さに略等しく、例えば、２ｍｍ〜３０ｍｍ程度になっている。高周波ヒータ５２には、ケーブル５４を介して高周波電源５５が接続されている。
【００２１】
一対の高周波ヒータ５２でコイル１０を挟み込んだら、高周波ヒータ５２に電力を供給し、コイル１０を加熱する。このときの加熱温度は、例えば、５００〜８００℃とし、保持時間は２〜２０秒とする。保持時間が終了したら、高周波ヒータ５２への通電を停止すると共に、焼鈍装置５１を開いて加熱した部分を徐冷する。これによって高周波ヒータ５２に挟まれていた部分が焼鈍され、その硬度が相対的に低下して柔軟部３１になる。その他の部分は、加熱されないので、硬度は変化しない。したがって、柔軟部３１に対して相対的に硬度が高い硬質部３２となる。
【００２２】
ここで、柔軟部３１を形成したコイル１０の硬度について説明する。
まず、図９に示すように、先端に柔軟部３１を形成したコイル１０を水平にした状態でその基端を固定して全長が例えば６ｍｍの軟部３１からなる片持ち梁とする。そして、図１０に示すように、コイル１０の先端部に下向きの荷重を与え、コイル１０の先端が下方に２ｍｍ変位するのに要する力量Ｐを、焼鈍処理を行う前後で調べたところ、焼鈍処理後のコイル１０では、必要な力量Ｐが１０％以上低かった。つまり、この力量Ｐの減少に相当する分だけ、柔軟部３１は硬度が低下していることになる。
【００２３】
このようにして、コイル１０に焼鈍処理を行って柔軟部３１を形成したら、内視鏡用生検鉗子１を組み立てる。まず、コイル１０を外チューブ１１で被覆し、コイル１０内に内チューブ１２を挿通させ、内チューブ１２内に操作ワイヤ１３，１４を挿通させる。さらに、コイル１０の先端に処置部４を固定する。一方、コイル１０の基端部は、操作部３の操作部本体２１に挿入して固定する。そして、操作ワイヤ１３，１４を、一対の生検カップ１７，１８と、スライダ２２とにそれぞれ連結させ、生検カップ１７，１８をカップ保持部材１５に支持させる。
【００２４】
内視鏡用生検鉗子１で処置を行う際には、最初に内視鏡４０を体内に挿入する。この際に、内視鏡挿入部４２は、例えば、食道などの形状に合わせて湾曲させられる。さらに、内視鏡操作部４１のアングルノブ４４を操作して内視鏡挿入部４２の先端部４２Ａを処置対象部位に向けて湾曲させ、撮像手段で処置対象部位を確認する。チャンネル４３は、内視鏡挿入部４２に従って湾曲させられ、特に、内視鏡挿入部４２の先端部４２Ａが相対的に大きく湾曲させられる。処置対象部位を確認したら、内視鏡操作部４１の挿入口から内視鏡用生検鉗子１を処置部４側から挿入する。処置部４に続いてチャンネル４３に挿入される挿入部２は、チャンネル４３に倣うようにして湾曲しながら内視鏡挿入部４２内に進入し、特に、チャンネル４３の先端部で大きく湾曲しているところでは、柔軟部３１がコイル１０の他の部分（硬質部３２Ｂ）よりも大きく湾曲することで、処置部４が容易に通過し、先端の処置部４を内視鏡挿入部４２の先端部から突出させる。
【００２５】
これによって、処置部４が処置対象部位に向かって突出するので、操作部３のスライダ２２を操作して、スライダ２２に固定されている操作ワイヤ１３，１４を前進させる。操作ワイヤ１３，１４が、コイル１０に対して相対的に前進し、操作ワイヤ１３，１４のそれぞれの先端部に連結されている一対の生検カップ１７，１８が開く。そして、処置対象部位に生検カップ１７，１８を押し当ててから、スライダ２２を後退させる。一対の生検カップ１７，１８が閉じて処置対象部位が挟み込まれる。このまま挿入部２を体外側に引っ張ると、処置対象部位が採取される。
【００２６】
この実施の形態によれば、硬質の処置部４の近傍に、他の部分よりも柔軟な柔軟部３１を形成したので、内視鏡用生検鉗子１をチャンネル４３の形状に倣って変形させ易くなる。このため、処置具４が内視鏡４０のチャンネル４３に与えるダメージ、例えばチャンネル４３が削れたり、孔が空いたりすることを低減できる。また、このようなコイル１０では、処置部４の近傍のみに柔軟部３１が設けられると共に、柔軟部３１と硬質部３２とでコイル１０の形状が変化しないので、操作ワイヤ１３，１４を前進させる際や、内視鏡用生検鉗子１全体を前進させる際などに高い圧縮耐性が得られる。したがって、柔軟性を確保しながらも、操作性を良好にすることができる。
さらに、コイル１０の一部に対して焼鈍処理を行うことで柔軟部３１を形成したので、従来の切削加工のように切り屑の処理や、洗浄工程が不要になるので、安価かつ短時間での製造が可能になる。また、コイル１０の巻き取り装置に特別な機構を設ける必要がないので、生産コストを低減することができる。さらに、一度に多数のコイル１０に対して焼鈍処理をすると、生産効率を向上することができる。
【００２７】
次に、第２の実施の形態について図面を参照しながら詳細に説明する。なお、第１の実施の形態と同じ構成要素には同一の符号を付してあり、重複する説明は省略する。
図１１に示すように、この実施の形態では、内視鏡用処置具がバスケット型鉗子６１であることを特徴とする。バスケット型鉗子６１は、挿入部２の内チューブ１２内に、操作ワイヤ６２が進退自在に挿通されており、操作ワイヤ６２の基端部は、操作部３のスライダ２２に固定されている。また、操作ワイヤ６２の先端部には、処置部６３が取り付けられている。処置部６３は、操作ワイヤ６２に固定された複数の線材６４を有し、これら線材６４は、拡幅方向にそれぞれが変形した後に、先端側がチップ６５によって束ねられている。線材６４は、弾性変形可能な材料から製造されており、操作ワイヤ６２を引いたときには、内チューブ１２内に収納され、操作ワイヤ６２を押し出したときには、挿入部２から突出して拡開するようになっている。
【００２８】
ここで、コイル１０は、先端面から２０ｍｍから３００ｍｍの範囲で柔軟部３１が形成されており、その他は硬質部３２になっている。柔軟部３１の製造方向及び硬度は、第１の実施の形態と同様である。
【００２９】
バスケット型鉗子６１を使用する際には、内視鏡４０のチャンネル４３に挿通する。挿入部２の先端部分が内視鏡挿入部４２の先端部４２Ａの湾曲部分を通過する際には、コイル１０の柔軟部３１がチャンネル４３の形状に倣って変形する。さらに、内視鏡挿入部４２の先端部４２Ａから突出させて処置を行う際にも、柔軟部３１を変形させることで容易に処置が行えるようになる。例えば、図１２に示すように、十二指腸Ｗ１の乳頭Ｗ２から胆管Ｗ３内にバスケット型鉗子６１の挿入部２を挿入して、処置部６３で胆石Ｗ４を破砕する場合には、コイル１０の柔軟部３１が容易に湾曲することで、挿入部２を乳頭Ｗ２から胆管Ｗ３に挿入し易くなる。
【００３０】
この実施の形態によれば、変形し易い柔軟部３１を挿入部２の先端側に設けたので、生体への挿入や、生体への押し付けが容易になる。したがって、手技が容易になり、手技時間を短縮することができる。その他の効果は、第１の実施の形態と同じである。
【００３１】
次に、第３の実施の形態について図面を参照しながら詳細に説明する。なお、この実施の形態において、内視鏡用処置具は内視鏡用生検鉗子として説明する。また、第１の実施の形態と同じ構成要素には同一の符号を付してあり、重複する説明は省略する。
図１３に示すように、内視鏡用生検鉗子８１は、挿入部２を有し、挿入部２の構成要素であるコイル１０の先端には、処置部８２のカップ保持部８３が一体的に成形されている。カップ保持部８３は、先端面から長手方向に延びるスリット８４を有し、スリット８４に直交するようにピン１６が固定されている。このピン１６には、一対の生検カップ１７，１８が開閉自在に支持されている。なお、カップ保持部８３の機能は、第１の実施の形態のカップ保持部材１５と同じである。
【００３２】
このようなカップ保持部８３を製造する工程を図１４から図１７を参照して説明する。
まず、コイル１０の先端側から、コイル１０の内径に略等しい外径を有する芯金９１を挿入してから、一対の型９２で挟み込む。型９２の対向する面のそれぞれには、略半円形の凹部が形成されると共に、ここに高周波ヒータ９３が設けられている。高周波ヒータ９３の内径は、コイル１０の外径よりも小さくなっている。したがって、高周波ヒータ９３でコイル１０を加熱しながら型締めすると、熱間鍛造によってコイル１０の先端部の線材が溶融しながら筒状に変形させられる。所定時間経過後に型開きすると、コイル１０の先端部において隣り合う線材同士が溶着されて連続した円筒部が得られる。この際に、円筒部に連なるコイル１０は、変形はしないが熱により影響を受け、かつ徐冷されることで硬度が下がる。したがって、この円筒部の近傍が柔軟部３１になる。
【００３３】
次に、図１５に示すように、熱間鍛造によって成形されていない部分の外径ｄ１に対して小さい外径ｄ２を有する円筒部９５を形成したら、コイル１０先端の円筒部９５を貫通する孔９６を形成する。孔９６は、円筒部９５に対して軸線対称となる位置に２つ形成する。孔９６を形成する手法としては、例えば、円筒部９５の上方からパンチで孔９６を打ち抜くことがあげられる。この際には、円筒部９５を潰さないように、孔９６の形成位置に合わせて貫通孔を有する芯金を円筒部９５に挿入することが好ましい。
さらに、図１６に示すように、凹部９７が形成された下型９８の上に円筒部９５を、孔９６の軸線が水平になるように載置し、上方から上型９９を打ち込む。上型９９には、下型９８の凹部９７の形状に合わせた突部１００が設けられており、この突部１００によって円筒部９５にスリット８４を形成する。その結果、図１７に示すように、コイル１０の先端側に、カップ保持部８３が形成される。この後は、操作ワイヤ１３，１４を連結させた一対の生検カップ１７，１８をピン１６で支持させると、処置部８２となる。
【００３４】
この実施の形態によれば、コイル１０の先端を熱処理することで処置部８２のカップ保持部８３を一体的に形成したので、部品点数を削減することができ、低コスト化が図れる。また、カップ保持部８３を形成するにあたって、カップ保持部８３に連なるコイル１０に柔軟部３１を形成することができるので、製造工程を簡略化することができる。柔軟部３１が形成されることによる効果は、第１の実施の形態と同様である。
【００３５】
なお、本発明は、前記の実施の形態に限定されずに広く応用することが可能である。
例えば、第３の実施の形態において、柔軟部３１を形成するにあたり、第１の実施の形態と同様の焼鈍装置５１を、一対の型９２と並んで配置し、焼鈍装置５１によって柔軟部３１を形成しても良い。
柔軟部３１の製造方法としては、バーナー等でコイル１０の先端側を加熱した後に、徐冷するなど、種々の方法を採用することができる。また、コイル１０の先端側を焼鈍する代わりに、コイル１０の先端側以外の残りの部分を加熱硬化させて、相対的に柔軟部３１を形成しても良い。
そして、本発明は、スネアや、高周波ナイフなど、その他の内視鏡用処置具の挿入部に適用することが可能である。
【図面の簡単な説明】
【００３６】
【図１】本発明の実施の形態に係る内視鏡用処置具の構成を示す図である。
【図２】図１のＡ−Ａ線に沿った断面図である。
【図３】図２の他の形態を示す図である。
【図４】図２の他の形態を示す図である。
【図５】コイルの先端部分の断面図である。
【図６】内視鏡用処置具の使用方法を説明する図であって、内視鏡に挿通させた状態を示す図である。
【図７】内視鏡用処置具の製造工程を説明する図である。
【図８】図７のＢ矢視図である。
【図９】コイルの硬度の測定方法を説明する図である。
【図１０】コイルの硬度の測定方法を説明する図である。
【図１１】内視鏡用処置具の他の形態を示す図である。
【図１２】内視鏡用処置具の使用方法を説明する図である。
【図１３】内視鏡用処置具の他の形態を示す図であって、先端部分の断面図である。
【図１４】内視鏡用処置具の製造工程を説明する図であって、コイルの先端部分に熱処理を行う工程を示す図である。
【図１５】コイルの先端部分に孔を形成した断面図である。
【図１６】コイルの先端部分にスリットを形成する工程を示す図である。
【図１７】コイルの先端部分に形成されたカップ保持部を示す断面図である。
【符号の説明】
【００３７】
１，８１      内視鏡用生検鉗子（内視鏡用処置具）
２      挿入部
３      操作部
４，８２    処置部
１０    コイル
１３，１４，６２    操作ワイヤ
１７，１８    生検カップ（駆動部）
３１    柔軟部
３２    硬質部
４０    内視鏡
４３    チャンネル
５１    焼鈍装置
６１    バスケット型鉗子（内視鏡用処置具）
６３    処置部（駆動部）
【図１】
2006296781.tif 000003
【図２】
2006296781.tif 000004
【図３】
2006296781.tif 000005
【図４】
2006296781.tif 000006
【図５】
2006296781.tif 000007
【図６】
2006296781.tif 000008
【図７】
2006296781.tif 000009
【図８】
2006296781.tif 000010
【図９】
2006296781.tif 000011
【図１０】
2006296781.tif 000012
【図１１】
2006296781.tif 000013
【図１２】
2006296781.tif 000014
【図１３】
2006296781.tif 000015
【図１４】
2006296781.tif 000016
【図１５】
2006296781.tif 000017
【図１６】
2006296781.tif 000018
【図１７】
2006296781.tif 000019